(57)【特許請求の範囲】
【請求項１】
カートリッジに収納された光記録媒体に記録された情報を読み出し可能な光記憶装置であって、
光源からの光を前記光記録媒体上に集光する対物レンズを有する光学ヘッドと；
前記光記録媒体からの反射光から再生信号を検出する光検出器と；
前記光記憶装置内に挿入された前記カートリッジを保持する主面を有するカートリッジホルダと；
前記カートリッジホルダの第１の側近傍の前記主面に一体的に形成された先端部に第１突起を有する第１スプリングアームと；
前記第１スプリングアームに隣接して前記主面に一体的に形成された先端部に第２突起を有する第２スプリングアームと；
前記カートリッジホルダの第１の側と反対側の第２の側近傍の前記主面に一体的に形成された先端部に第３突起を有する第３スプリングアームとを具備し；
前記第１及び第２スプリングアームは前記カートリッジホルダに対する前記カートリッジの挿抜方向に概略沿って互いに反対向きに伸長しており、
前記第１及び第２スプリングアームは前記第１の側に沿って概略平行に伸長する第１部分と、前記カートリッジの幅方向外側に向かって前期第１部分から斜めに伸長する第２部分とをそれぞれ含んでいること、
を特徴とする光記憶装置。
【請求項２】
カートリッジに収納された光記録媒体に記録された情報を読み出し可能な光記憶装置であって、
光源からの光を前記光記録媒体上に集光する対物レンズを有する光学ヘッドと；
前記光記録媒体からの反射光から再生信号を検出する光検知器と；
前記光記憶装置内に挿入された前記カートリッジを保持する主面を有するカートリッジホルダと；
前記カートリッジホルダの第１の側近傍の前記主面に一体的に形成された先端部に第１突起を有する第１スプリングアームと；
前記第１スプリングアームに隣接して前記主面に一体的に形成された先端部に第２突起を有する第２スプリングアームと；
前記カートリッジホルダの第１の側と反対側の第２の側近傍の前記主面に一体的に形成された先端部に第３突起を有する第３スプリングアームとを具備し；
前記第１及び第２スプリングアームは前記カートリッジホルダに対する前記カートリッジの挿抜方向に概略沿って互いに反対向きに伸長しており、
前記第１スプリングアームは前記第１の側に沿って概略平行に伸長しており、前記第２スプリングアームは前記第１スプリングアームの内側に配置され前記第１の側に沿って概略平行に伸長する第１部分と、前記カートリッジの幅方向外側に向かって前期第１部分から斜めに伸長する第２部分とを含んでいること、
を特徴とする光記憶装置。
【請求項３】
前記第１及び第２の突起の間の距離は前記カートリッジホルダの縦方向の長さの半分以上である請求項１又は２記載の光記憶装置。
【請求項４】
前記第３スプリングアームは前記第２の側に対して斜めに形成されている請求項１又は２記載の光記憶装置。
【請求項５】
前記第１及び第２突起は前記第１の側から９ｍｍ以内に形成されており、前記第３突起は前記第２の側から９ｍｍ以内に形成されている請求項１又は２記載の光記録装置。
【請求項６】
ベースに固定されたスピンドルモータと；
前記光記憶装置内に挿入された前記カートリッジに押されて移動する第１位置と、前記カートリッジが前記光記憶装置内から排出された第２位置との間で移動可能なロードプレートとを更に具備し；
前記カートリッジホルダは前記ロードプレート上に搭載されており、前記ロードプレートが前記第１位置に移動すると前期カートリッジホルダは前記スピンドルモータ方向に移動し、第２位置に移動すると前記スピンドルモータから離れる方向に移動する請求項１又は２記載の光記憶装置。
【請求項７】
前記ロードプレートは複数のリフトガイドを有しており、前記カートリッジホルダは前記リフトガイド上に搭載されている請求項６記載の光記憶装置。
【請求項８】
記憶装置のカートリッジ保持機構であって、
前記記憶装置内に挿入された記録媒体カートリッジを保持する主面を有するカートリッジホルダと；
前記カートリッジホルダの第１の側近傍の前記主面に一体的に形成された先端部に第１突起を有する第１スプリングアームと；
前記第１スプリングアームに隣接して前記主面に一体的に形成された先端部に第２突起を有する第２スプリングアームと；
前記カートリッジホルダの第１の側と反対側の第２の側近傍の前記主面に一体的に形成された先端部に第３突起を有する第３スプリングアームとを具備し；
前記第１及び第２スプリングアームは前記カートリッジホルダに対する前記記録媒体カートリッジの挿抜方向に概略沿って互いに反対向きに伸長しており、
前記第１及び第２スプリングアームは前記第１の側に沿って概略平行に伸長する第１部分と、前記カートリッジの幅方向外側に向かって前期第１部分から斜めに伸長する第２部分とをそれぞれ含んでいること、
を特徴とするカートリッジ保持機構。
【請求項９】
記憶装置のカートリッジ保持機構であって、
前記記憶装置内に挿入された記録媒体カートリッジを保持する主面を有するカートリッジホルダと；
前記カートリッジホルダの第１の側近傍の前記主面に一体的に形成された先端部に第１突起を有する第１スプリングアームと；
前記第１スプリングアームに隣接して前記主面に一体的に形成された先端部に第２突起を有する第２スプリングアームと；
前記カートリッジホルダの第１の側と反対側の第２の側近傍の前記主面に一体的に形成された先端部に第３突起を有する第３スプリングアームとを具備し；
前記第１及び第２スプリングアームは前記カートリッジホルダに対する前記記録媒体カートリッジの挿抜方向に概略沿って互いに反対向きに伸長しており、
前記第１スプリングアームは前記第１の側に沿って概略平行に伸長しており、
前記第２スプリングアームは前記第１スプリングアームの内側に配置され前記第１の側に沿って概略平行に伸長する第１部分と、前記カートリッジの幅方向外側に向かって前記第１部分から斜めに伸長する第２部分とを含んでいること、を特徴とするカートリッジ保持機構。
【請求項１０】
前記第１及び第２の突起の間の距離は前記カートリッジホルダの縦方向の長さの半分以上である請求項８又は９記載のカートリッジ保持機構。
【請求項１１】
前記第３スプリングアームは前記第２の側に対して斜めに形成されている請求項８又は９記載のカートリッジ保持機構。
【請求項１２】
前記第１及び第２突起は前記第１の側から９ｍｍ以内に形成されており、前記第３突起は前記第２の側から９ｍｍ以内に形成されている請求項８又は９記載のカートリッジホルダ。
【請求項１３】
前記第１〜第３スプリングアームの各々は、前記カートリッジホルダ内に収容されたカートリッジの挿抜方向の長さの半分以上の長さを有している請求項８又は９記載のカートリッジホルダ。
【発明の詳細な説明】
【０００１】
【発明の属する技術分野】
本発明は一般的に光記憶装置に関し、特に、光記憶装置用カートリッジ保持機構に関する。
【０００２】
【従来の技術】
光ディスクは近年急速に発展するマルチメディア化の中で中核となるメモリ媒体として脚光を浴びており、通常カートリッジの中に収容された状態で使用される。
【０００３】
光ディスクカートリッジが光ディスク装置内にローディングされ、光ピックアップ（光学ヘッド）により光ディスクへのデータ（情報）のライト／リードが行われる。
【０００４】
最近の光ディスク装置は小型化を実現するため、レーザダイオードモジュール、レーザビームの反射及び透過を行うビームスプリッタ、光ディスクからの反射光を受光する光検出器等を含んだ固定光学アセンブリと、キャリッジ及びキャリッジに取り付けられた対物レンズを有する光学ヘッドを含んだ移動光学アセンブリとから構成される。
【０００５】
キャリッジはボイスコイルモータにより一対のレールに沿って光ディスクの半径方向に移動される。固定光学アセンブリに取り付けられたレーザダイオードモジュールから出射されたライトパワーのレーザビームはコリメータレンズによりコリメートされた後偏光ビームスプリングを透過し、光学ヘッドのビーム立ち上げミラーにより反射されて対物レンズにより光ディスク上にフォーカスされ、光ディスクにデータが書き込まれる。
【０００６】
一方、データの読み出しは、光ディスクにリードパワーのレーザビームを照射することにより行われる。光ディスクからの反射光は対物レンズによりコリメートビームにされた後、固定光学アセンブリの偏光ビームスプリッタにより反射され、この反射光が光検出器で検出されて電気信号に変換される。
【０００７】
一般的に、光ディスクカートリッジを光ディスク装置内で保持するためにカートリッジホルダが使用される。更に、振動・衝撃によるカートリッジホルダ内でのカートリッジの遊び（暴れ）を防ぐために、カートリッジホルダにはカートリッジを保持するための別部品からなるバネ機構が取り付けられている。
【０００８】
しかし、光ディスクはリムーバブル媒体であるため、カートリッジの製造メーカーの違いによる若干の寸法ばらつき、材料の違い、表面の仕上げ具合の違い、カートリッジの使用頻度（挿抜回数）の違い等によるカートリッジ表面と、カートリッジホルダ及びドライブベース等の摺動部材との間で発生する摩擦力のばらつきにより、同一装置においてもカートリッジの排出量にばらつきが発生しやすい問題を有している。
【０００９】
このカートリッジ排出量のばらつきを抑えるために、従来技術では、カートリッジを保持するためのバネ機構のバネ力の変化をできるだけ小さくするよう工夫したり、排出途中でカートリッジを引っ掛けて止めるフック機構やブレーキ機構を設けて対応している。
【００１０】
【発明が解決しようとする課題】
このような別部品からなるバネを用いた従来のカートリッジ保持機構においては、部品点数の増加、部品取り付けによる工数の増加、部品管理工数の増加等によりコスト高になるという問題を有していた。
【００１１】
よって本発明の目的は、カートリッジを装置内で安定して保持できると共に、カートリッジ排出の際に安定した摩擦力を得ることのできる光記憶装置のカートリッジ保持機構を提供することである。
【００１２】
【課題を解決するための手段】
本発明によると、カートリッジに収納された光記録媒体に記録された情報を読み出し可能な光記憶装置であって、光源からの光を前記光記録媒体上に集光する対物レンズを有する光学ヘッドと；前記光記録媒体からの反射光から再生信号を検出する光検出器と；前記光記憶装置内に挿入された前記カートリッジを保持する主面を有するカートリッジホルダと；前記カートリッジホルダの第１の側近傍の前記主面に一体的に形成された先端部に第１突起を有する第１スプリングアームと；前記第１スプリングアームに隣接して前記主面に一体的に形成された先端部に第２突起を有する第２スプリングアームと；前記カートリッジホルダの第１の側と反対側の第２の側近傍の前記主面に一体的に形成された先端部に第３突起を有する第３スプリングアームとを具備し；前記第１及び第２スプリングアームは前記カートリッジホルダに対する前記カートリッジの挿抜方向に概略沿って互いに反対向きに伸長しており、前記第１及び第２スプリングアームは前記第１の側に沿って概略平行に伸長する第１部分と、前記カートリッジの幅方向外側に向かって前期第１部分から斜めに伸長する第２部分とをそれぞれ含んでいること、を特徴とする光記憶装置が提供される。
【００１３】
スピンドルモータがベースに固定されており、ベースに移動可能に取り付けられたロードプレート上にカートリッジホルダが取り付けられている。ロードプレートはカートリッジが装置内に挿入された第１位置と、カートリッジが装置内から排出された第２位置との間で移動可能である。
【００１４】
ロードプレートが第１位置に移動すると、カートリッジホルダはスピンドルモータに近づく方向に移動され、スピンドルモータがカートリッジ内の光ディスクをチャッキングする。
【００１５】
ロードプレートが第２位置に移動されると、カートリッジホルダはスピンドルモータから遠ざかる方向に移動され、スピンドルモータが光ディスクを解放する。
【００１６】
好ましくは、第１スプリングアームはカートリッジホルダの第１の側に概略平行に形成されており、第２スプリングアームは第１の側に概略平行な第１部分と、第１の側に近づくように第１部分から所定確度傾斜した第２部分とから構成される。第３スプリングアームは第２の側に対して所定角度傾斜して形成されている。
【００１７】
好ましくは、第１及び第２突起はカートリッジホルダの第１の側から９ｍｍ以内に形成されており、第３突起はカートリッジホルダの第２の側から９ｍｍ以内に形成されている。
【００１８】
本発明の他の側面によると、記憶装置のカートリッジ保持機構であって、前記記憶装置内に挿入された記録媒体カートリッジを保持する主面を有するカートリッジホルダと；前記カートリッジホルダの第１の側近傍の前記主面に一体的に形成された先端部に第１突起を有する第１スプリングアームと；前記第１スプリングアームに隣接して前記主面に一体的に形成された先端部に第２突起を有する第２スプリングアームと；前記カートリッジホルダの第１の側と反対側の第２の側近傍の前記主面に一体的に形成された先端部に第３突起を有する第３スプリングアームとを具備し；前記第１及び第２スプリングアームは前記カートリッジホルダに対する前記記録媒体カートリッジの挿抜方向に概略沿って互いに反対向きに伸長しており、前記第１及び第２スプリングアームは前記第１の側に沿って概略平行に伸長する第１部分と、前記カートリッジの幅方向外側に向かって前期第１部分から斜めに伸長する第２部分とをそれぞれ含んでいること、を特徴とするカートリッジ保持機構が提供される。
【００１９】
【発明の実施の形態】
図１を参照すると、本発明が適用される光磁気ディスク装置１０の上面側の斜視図が示されている。図２は光磁気ディスク装置１０の裏面側斜視図である。
【００２０】
この光磁気ディスク装置１０には光磁気ディスクがカートリッジ内に収納された光磁気ディスクカートリッジ１４が挿入され、光磁気ディスク装置１０はこの光磁気ディスクカートリッジ１４内の光磁気ディスクに対してデータのライト／リードを行う。
【００２１】
光磁気ディスク装置１０内には光磁気ディスクカートリッジ１４のロード／イジェクト機構、光磁気ディスクを回転させるスピンドルモータ、バイアス磁界発生機構、ポジショナ、固定光学アセンブリ及び移動光学アセンブリが内蔵されている。
【００２２】
光磁気ディスクカートリッジ１４は光磁気ディスク装置１０の挿入口１２から光磁気ディスク装置１０内に挿入される。符号１３は光磁気ディスクカートリッジを排出するためのイジェクトボタンである。
【００２３】
図３（Ａ）及び図３（Ｂ）は光磁気ディスク装置１０に挿入される光磁気ディスクカートリッジ１４の構造を示すものである。図１に示した光磁気ディスクカートリッジ１４は表側であり、図３（Ａ）及び図３（Ｂ）は光磁気ディスクカートリッジ１４の裏側を示している。
【００２４】
図３（Ａ）に示すように、光磁気カートリッジ１４のカートリッジケース１６にはシャッター１８が設けられており、このシャッター１８の端部にはシャッター開アーム２０が取り付けられている。カートリッジケース１６の一端には光磁気ディスクへの書き込みを禁止するライトプロテクタ２２が設けられている。
【００２５】
シャッター開アーム２０の端部２０ａが後述するスライダによって押されると、シャッター１８がカートリッジケース１６の上をスライドして開く。図３（Ｂ）はシャッター１８が全開された状態の光磁気ディスクカートリッジ１４を示している。
【００２６】
カートリッジケース１６の中には、データの記録媒体である光磁気ディスク２４が収納されている。この光磁気ディスク２４はその中央部にあるハブ２６が後述するスピンドルモータにチャッキングされて回転するようになっている。
【００２７】
カートリッジケース２６の底面側の後端部近傍の両側には、光磁気ディスクカートリッジ１４の光磁気ディスク装置１０内の位置決めを行うために２つの基準穴２８，３０が設けられている。一方の基準穴２８は丸穴であり、他方の基準穴３０は長穴である。
【００２８】
図４はカートリッジ挿入口１２から光磁気ディスクカートリッジ１４が挿入された直後の状態を示す平面図である。図５はその裏面図であり、図６は図５の右側面図である。
【００２９】
図５に最も良く示されるように、ドライブベース３２にロードプレート３４が移動可能に取り付けられている。即ち、ロードプレート３４は４個の長穴３６ａ，３６ｂ，３６ｃ，３６ｄを有しており、ベース３２には２個のピン３８ａ，３８ｂと、２個の係合突起４０ａ，４０ｂが固定されている。
【００３０】
ピン３８ａ，３８ｂがそれぞれ長穴３６ａ，３６ｂに挿入され、係合突起４０ａ，４０ｂがそれぞれ長穴３６ｃ，３６ｄ内に挿入されている。これによりロードプレート３４はベース３２の長手方向にガイドされながら移動可能である。
【００３１】
ベース３２の両側部にはそれぞれ２個の開口５１が形成されている。一方、ロードプレート３４には概略９０°に折り曲げられた４個のリフトガイド４６が一体的に形成されており、各リフトガイド４６がベース３２の開口５１中に挿入され、ベース３２の裏面側から表側に突出している（図４参照）。
【００３２】
ベース３２には更に、ピン５０が固定されている。図６に示されるように、各リフトガイド４６は切欠４８を有している。各切欠４８は水平部分と傾斜部分とから構成される。
【００３３】
次に、図８乃至図１０を参照して、本発明実施形態のカートリッジホルダ５２の構造について説明する。カートリッジホルダ５２の両側部にはそれぞれ３個のピン５４，５６が固定されている。
【００３４】
カートリッジホルダ５２にはガイド溝６０が形成されている。ガイド溝６０はカートリッジの挿入口１２端部から内側に向かって斜めに形成され、途中から曲げられてカートリッジホルダ５２の縦方向と平行になっている。
【００３５】
ガイド溝６０には第１のスライダ６２と第２のスライダ６４が摺動可能に嵌め込まれている。図１０に示されるように、第１のスライダ６２と第２のスライダ６４は捩じりバネ６６で連結されており、第２のスライダ６４とカートリッジホルダ５２の間には捩じりバネ６８が張設されている。
【００３６】
カートリッジホルダ５２上にはバイアス磁界発生装置７０が搭載されている。バイアス磁界発生装置７０は、バックヨーク７２と、バックヨーク７２上に搭載されたセンターヨーク７４と、コイル７６とを含んでいる。カートリッジ５２及びバックヨーク７２は例えば鋼板から形成されている。
【００３７】
図１０に示されるように、バイアス磁界発生装置７０部分のカートリッジホルダ５２には４個の扁平な突起７８が形成されており、装置内に挿入された光磁気ディスクカートリッジ１４がカートリッジホルダ５２及び／又はセンターヨーク７４に衝突するのを防止している。
【００３８】
図８に最も良く示されるように、カートリッジホルダ５２の一方の側には第１スプリングアーム８０と第２スプリングアーム８２が、連続して形成されたスリット８３によりカートリッジホルダ５２と一体的に形成されている。
【００３９】
第１スプリングアーム８０は側部に平行な第１部分８０ａと、第１部分８０ａに対して所定角度θ１傾斜した第２部分８０ｂとから構成される。θ１は約３０°である。第２部分８０ｂの先端部には突起８４がカートリッジホルダ５２の裏面側に突出するように形成されている。突起８４の高さは約１．２ｍｍである。
【００４０】
同様に、第２スプリングアーム８２も側部に対して概略平行な第１部分８２ａと、第１部分８２ａに対して所定確度θ２傾斜した第２部分８２ｂとから構成される。θ２は約４５°である。第２部分８２ｂの先端部にはカートリッジホルダ５２の裏面側に突出する突起８６が形成されている。突起８６の高さは約１．２ｍｍである。
【００４１】
第１スプリングアーム８０の第２部分８０ｂは先端が側部に近づくように傾斜しており、第２スプリングアーム８２の第２部分８２ｂも先端が側部に近づくように傾斜しており、突起８４，８６はカートリッジホルダ５２の縦方向に整列している。突起８４，８６はカートリッジホルダ５２の第１の側からそれぞれ９ｍｍ以内に形成されている。
【００４２】
θ１，θ２は上述した角度に限定されるものではなく、２つの突起８４，８６がカートリッジホルダ５２の縦方向に整列するような他の角度もとり得るものである。
【００４３】
一方、カートリッジホルダ５２の第１の側と反対の第２の側にはスリット８９により第３スプリングアーム８８がカートリッジホルダ５２と一体的に形成されている。
【００４４】
第３スプリングアーム８８はカートリッジホルダ５２の縦方向に対して所定角度θ３傾斜して形成されている。θ３は約８°である。第３スプリングアーム８８の先端部には突起９０がカートリッジホルダ５２の裏面側に突出するように形成されている。突起９０の高さは約１．２ｍｍである。
【００４５】
第１、第２、第３スプリングアーム８０，８２，８６の長さは、カートリッジホルダ５２中に収容されたカートリッジ１４の縦方向長さの半分以上であるのが望ましい。このように各スプリングアームの長さを長く形成することにより、バネ定数を低減することが可能となり、カートリッジ排出の際の安定した所望の摩擦力を容易に得ることができる。
【００４６】
このような構造を有するカートリッジホルダ５２がロードプレート３４上に搭載される。即ち、カートリッジホルダ５２の各ピン５４が各リフトガイド４６の切欠４８中に挿入され、ピン５６がベース３２に形成されたガイド溝５８中に挿入されるように、カートリッジホルダ５２がロードプレート３４に搭載される。
【００４７】
図６に示す状態は、カートリッジ１４の先端部がカートリッジホルダ５２内に挿入された状態であり、各ピン５４は各リフトガイド４６の切欠４８の水平部分中に位置付けされている。
【００４８】
図５及び図７に示すように、ドライブベース３２には一対の磁気回路９４、一対のガイドレール９６が搭載されている。各磁気回路９４は永久磁石９０と、ヨーク９２から構成される。符号９８は対物レンズ１０２を有する光学ヘッド１０２を担持したキャリッジであり、磁気回路９４に対応する位置に一対のコイル１０４を具備している。
【００４９】
磁気回路９４とコイル１０４とでボイスコイルモータ（ＶＣＭ）が構成され、コイル１０４に電流を流すと、キャリッジ９８がガイドレール９６に案内されて光磁気ディスク２４の半径方向に移動する。
【００５０】
ドライブベース３２にはスピンドルモータ１０８が固定されている。ドライブベース３２上には更に、レーザダイオード及び光検出器等を有する固定光学アセンブリ１１０が搭載されている。
【００５１】
ベース３２には装置内に挿入されたカートリッジ１４の基準穴２８，３０に挿入されてカートリッジ１４の位置決めを行う一対の位置決めピン１１２が固定されている（図６及び図１１参照）。
【００５２】
ドライブベース３２には装置内に挿入されたカートリッジ１４排出用のイジェクトモータ１１４が搭載されている。カム１１６がイジェクトモータ１１４の出力軸に連結されており、図６に示されたアンロード状態では、カム１１６がロードプレート３４と一体的に形成された係合片１１８に当接し、ロードプレート３４を矢印Ｐ方向に移動させている。
【００５３】
図５に示されるように、ドライブベース３２の裏面には第１ロードカム１２０が捩じりバネ１２２で図で時計回り方向に付勢されて取り付けられている。第２ロードカム１２４が第１ロードカム１２０に固定されている。図６に示されるように、第１ロードカム１２０には突起１２０ａが一体的に形成されている。
【００５４】
ドライブベース３２とロードプレート３４の間には一対のコイルバネ４２，４４が張設されている。図４乃至図７に示されたカートリッジ１４が光磁気ディスク装置１０内に部分的に挿入されたアンロード状態では、図５でロードプレート３４が上方に移動され、第２ロードカム１２４がベース３２に固定されたピン５０に係合している。
【００５５】
よって、コイルバネ４２，４４は伸ばされた状態であり、第２ロードカム１２４とピン５０との係合によりロードプレート３４の下側方向への移動が阻止されている。
【００５６】
ロードプレート３４が図６でＰ方向に移動されているため、カートリッジ５２の各ピン５４は各リフトガイド４６の切欠４８中の水平部分に位置付けされており、光磁気ディスク２４はスピンドルモータ１０８とのチャッキングを解放され、スピンドルモータ１０８から離間している。
【００５７】
この状態からカートリッジ１４が装置１０内に挿入されていくと、カートリッジ１４が第１ロードカム１２０の突起１２０ａに当接し、第１ロードカム１２０が図５で捩じりバネ１２２の付勢力に抗して反時計回り方向に回動する。これにより、第２ロードカム１２４とピン５０との係合が外れるため、ロードプレート３４はコイルバネ４２，４４により図５で下側方向に移動される。
【００５８】
よって、図１１乃至図１３に示されたカートリッジ１４の光磁気ディスク装置１０内への挿入完了状態では、図１３に示されるように各ピン５４は各リフトガイド４６の切欠４８の傾斜部分に沿って移動し、傾斜部分の端部に位置付けされる。
【００５９】
よって、カートリッジ１４はスピンドルモータ１０８に近づく方向に移動され、カートリッジ１４内の光磁気ディスク２４がスピンドルモータ１０８にチャッキングされている。
【００６０】
このロード状態では、ロードプレート３４はコイルバネ４２，４４の付勢力により図１２で下側方向に移動されており、コイルバネ４２，４４は縮んだ状態である。
【００６１】
この状態でスピンドルモータ１０８により光磁気ディスク２４を回転させながら、光磁気ディスク２４に対するデータのライト／リードが行われる。カートリッジ１４を光磁気ディスク装置１０から排出したい場合には、オペレーターはイジェクトボタン１３を押す。
【００６２】
これによりイジェクトモータ１１４が回転し、カム１１６がロードプレート３４の係合片１１８に当接し、ロードプレート３４が図６で矢印Ｐで示す方向に移動される。
【００６３】
即ち、図１２でロードプレート３４が上側方向に移動されるため、第２ロードカム１２４とピン５０との当接が解除され、第１ロードカム１２０は捩じりバネ１２２の付勢力により時計回り方向に回動し、カートリッジ１４を光磁気ディスク装置１０内から押し出す。
【００６４】
カートリッジホルダ５２に取り付けられた捩じりバネ６６，６８の付勢力によりカートリッジ１４は更に押し出され、図４乃至図７に示した位置まで排出される。
【００６５】
スピンドルモータ１０８と光磁気ディスク２４との係合は、ロードプレート３４が図６で矢印Ｐ方向に移動されるにつれて解除される。
【００６６】
カートリッジ１４の排出時には、カートリッジホルダ５２の第１〜第３スプリングアーム８０，８２，８８に形成された突起８４，８６，９０がカートリッジ１４に接触しながらカートリッジ１４が排出されるため、スプリングアーム８０，８２，８８のバネ弾性と相俟ってカートリッジ１４と突起８４，８６，９０との間に適度な摩擦力が働くため、カートリッジ１４はブレーキ作用を受けながら安定して排出される。
【００６７】
このとき、第２ロードカム１２４がピン５０に係合するため、ロードプレート３４の図５の下側方向への移動が阻止される。この状態では、カートリッジ５２の各ピン５４は図６に示すように各リフトガイド４８に形成された切欠４８の水平部分に位置付けされる。
【００６８】
以上、本発明を図面に示した光磁気ディスク装置について説明してきたが、本発明はこれに限定されるものではなく、光ディスクがスピンドルモータに選択的にロードされる他の光ディスク装置にも同様に適用可能である。
【００６９】
【発明の効果】
本発明は以上詳述したように、カートリッジホルダと一体的にそれぞれ先端部に突起を有する複数のスプリングアームを形成したため、カートリッジ排出の際の安定した所望の摩擦力を得ることができるため、カートリッジの排出安定性が向上する。
【００７０】
また、カートリッジ排出の際の摩擦力を得るバネ機構をカートリッジホルダと一体的に形成したため、部品点数を削減した安価なカートリッジ保持機構を提供可能である。
【図面の簡単な説明】
【図１】本発明のカートリッジ保持機構を具備した光磁気ディスク装置の上面側外観斜視図である。
【図２】光磁気ディスク装置の裏面側外観斜視図である。
【図３】図３（Ａ）はシャッターが閉じた状態の光磁気ディスクカートリッジの斜視図であり、図３（Ｂ）はシャッターが開いた状態の光磁気ディスクカートリッジの斜視図である。
【図４】光磁気ディスクカートリッジの挿入開始直後又は排出時の光磁気ディスク装置の平面図である。
【図５】図４の裏面図である。
【図６】図５の右側面図である。
【図７】磁気回路、キャリッジ、光学ヘッド等を破線で示した図４に類似した図である。
【図８】カートリッジホルダの平面図である。
【図９】図８の右側面図である。
【図１０】図８の裏面図である。
【図１１】光磁気ディスクカートリッジの挿入完了状態の光磁気ディスク装置の平面図である。
【図１２】図１１の裏面図である。
【図１３】図１２の右側面図である。
【符号の説明】
１４  光磁気ディスクカートリッジ
３２  ベース
３４  ロードプレート
５２  カートリッジホルダ
６０  ガイド溝
８０  第１スプリングアーム
８２  第２スプリングアーム
８８  第３スプリングアーム
８４，８６，９０  突起
【図１】
0003688507.tif 000002
【図２】
0003688507.tif 000003
【図３】
0003688507.tif 000004
【図４】
0003688507.tif 000005
【図５】
0003688507.tif 000006
【図６】
0003688507.tif 000007
【図７】
0003688507.tif 000008
【図８】
0003688507.tif 000009
【図９】
0003688507.tif 000010
【図１０】
0003688507.tif 000011
【図１１】
0003688507.tif 000012
【図１２】
0003688507.tif 000013
【図１３】
0003688507.tif 000014